(57)【要約】      （修正有）【課題】スクロール処理が行われているときに、１回のタッチ操作でアイコンを指定できるとともに、スクロールを継続あるいは停止する操作がアイコンを指定する操作として誤って検知されることを防止する。【解決手段】アイコンを含む特定画像がスクロール表示されているときに、タッチ位置が検出された場合に、スクロール状態がアイコン指定可能状態であるか否かを判定する（Ｓ２）。さらに、当該タッチ操作がアイコン指定操作およびその他の操作のいずれであるかを区別して判定する（Ｓ３）。スクロール状態がアイコン指定可能状態であり、かつ、タッチ操作がアイコン指定操作である場合に、アイコン対応処理を実行し、そうでない場合に、スクロール表示を継続または停止させる。【選択図】図２
2018206120.tif 000002
【特許請求の範囲】
【請求項１】
画像を表示する表示パネルと、
前記表示パネルにおけるタッチ位置を検出する位置検出装置と、
前記タッチ位置の検出結果に応じてパネル操作の種類を判定する操作判定装置と、
アイコンを含む特定画像の一部を前記表示パネルに表示させ、前記パネル操作の判定結果に応じて、前記表示パネルへの画像の表示形態を変更する表示制御装置と、を備え、
前記表示制御装置が前記表示パネルに前記特定画像をスクロール表示させているときに前記位置検出装置が前記タッチ位置を検出した場合に、前記表示制御装置が、前記特定画像のスクロール状態が予め定められたアイコン指定可能状態であるか否かを判定し、さらに、前記操作判定装置が、前記パネル操作が前記アイコンを指定する予め定められた１回の操作であるアイコン指定操作およびその他の操作のいずれであるかを区別して判定し、
前記特定画像のスクロール状態が前記アイコン指定可能状態であると判定され、かつ、前記パネル操作が前記アイコン指定操作であると判定された場合に、前記表示制御装置は、予め前記アイコンに対応付けられたアイコン対応処理を実行し、そうでない場合に、前記表示制御装置は、前記アイコン対応処理を実行することなく、前記表示パネルへの前記特定画像のスクロール表示を継続または停止させる、タッチパネル装置。
【請求項２】
前記アイコン指定可能状態は、前記特定画像のスクロール速度が予め定められたしきい速度を下回る低速スクロール状態である、請求項１に記載のタッチパネル装置。
【請求項３】
前記特定画像が、それぞれ予め定められた主方向の長さが前記表示パネルの長さよりも長い複数のページ画像を含み、
前記表示制御装置は、前記表示パネルに前記特定画像を前記主方向に沿ってスクロール表示させる場合に、前記表示パネルに前記複数のページ画像それぞれを前記主方向に沿ってスクロール表示させるとともに、前記複数のページ画像のページ区切りにおいて隣り合う２つの前記ページ画像を切り替えて前記表示パネルに表示させ、
前記アイコン指定可能状態は、前記特定画像のスクロール速度が予め定められたしきい速度を下回る低速スクロール状態であり、かつ、２つの前記ページ画像の表示が切り替わる時点を基準にした予め定められた期間以外の時点の状態である、請求項１に記載のタッチパネル装置。
【請求項４】
前記アイコン指定操作が、前記表示パネルにおける前記アイコンが表示されている領域を予め定められた時間以上継続してタッチする長押し操作であり、
前記特定画像のスクロール状態が前記アイコン指定可能状態であると判定され、かつ、前記パネル操作が前記アイコン指定操作であると判定された場合に、前記表示制御装置は、前記表示パネルに前記特定画像のスクロール表示を停止させるとともに前記アイコン対応処理を実行する、請求項１から請求項３のいずれか１項に記載のタッチパネル装置。
【請求項５】
前記アイコン指定操作が、前記表示パネルにおける前記アイコンが表示されている領域を前記特定画像のスクロール方向に対して予め定められた角度の範囲で交差する方向に沿って擦るスワイプ操作である、請求項１から請求項３のいずれか１項に記載のタッチパネル装置。
【発明の詳細な説明】
【技術分野】
【０００１】
本発明は、画像のスクロール表示が可能なタッチパネル装置に関する。
【背景技術】
【０００２】
一般に、タッチパネル装置は、アイコンを含むメニュー画像などの特定画像の一部を表示パネルに表示させる場合、スクロール処理を実行可能である。前記タッチパネル装置は、予め定められた方向に沿ったスワイプ操作などのスクロール操作を検知した場合に、前記スクロール処理を実行する。
【０００３】
前記タッチパネル装置は、通常、前記スクロール処理を実行中に前記表示パネルに対する前記スクロール操作以外のタッチ操作を検知した場合、前記スクロール処理を停止する。
【０００４】
さらに、前記タッチパネル装置は、前記スクロール処理を停止した状態で、前記表示パネルにおける前記アイコンの領域をタッチするアイコン指定操作を検知した場合に、予め前記アイコンに対応付けられた処理を実行する。
【０００５】
また、前記タッチパネル装置が、前記スクロール処理を実行中に前記表示パネルへのタッチ操作を検知した場合に、前記スクロール処理を停止し、前記タッチ操作が解除されるまで、前記タッチ操作に応じた処理を実行しないことが知られている（例えば、特許文献１参照）。
【先行技術文献】
【特許文献】
【０００６】
【特許文献１】特開２０１３−１５９１８号公報
【発明の概要】
【発明が解決しようとする課題】
【０００７】
ところで、ユーザーにとって、前記スクロール処理を停止させる操作と前記アイコン指定操作の両方を行うことは手間である。前記スクロール処理が行われているときに、前記アイコンを指定する１回のタッチ操作によって前記アイコンに対応する処理が実行されることが望まれる。
【０００８】
一方、前記スクロール処理が行われているときに、前記スクロール処理を停止または継続させるつもりで行われたタッチ操作が、前記アイコン指定操作として誤って検知されることを防止する必要がある。
【０００９】
本発明の目的は、表示パネルにおいてアイコンを含む画像がスクロールされているときに、１回のタッチ操作で前記アイコンを指定できるとともに、スクロール処理を停止または継続させるつもりで行われたタッチ操作が前記アイコンを指定する操作として誤って検知されることを防止できるタッチパネル装置を提供することにある。
【課題を解決するための手段】
【００１０】
本発明の一の局面に係るタッチパネル装置は、表示パネルと、位置検出装置と、操作判定装置と、表示制御装置と、を備える。前記表示パネルは、画像を表示する。前記位置検出装置は、前記表示パネルにおけるタッチ位置を検出する。前記操作判定装置は、前記タッチ位置の検出結果に応じてパネル操作の種類を判定する。前記表示制御装置は、アイコンを含む特定画像の一部を前記表示パネルに表示させ、前記パネル操作の判定結果に応じて、前記表示パネルへの画像の表示形態を変更する。前記表示制御装置が前記表示パネルに前記特定画像をスクロール表示させているときに前記位置検出装置が前記タッチ位置を検出した場合に、前記表示制御装置が、前記特定画像のスクロール状態が予め定められたアイコン指定可能状態であるか否かを判定する。さらに、前記操作判定装置が、前記パネル操作が前記アイコンを指定する予め定められた１回の操作であるアイコン指定操作およびその他の操作のいずれであるかを区別して判定する。前記特定画像のスクロール状態が前記アイコン指定可能状態であると判定され、かつ、前記パネル操作が前記アイコン指定操作であると判定された場合に、前記表示制御装置は、予め前記アイコンに対応付けられたアイコン対応処理を実行し、そうでない場合に、前記表示制御装置は、前記アイコン対応処理を実行することなく、前記表示パネルへの前記特定画像のスクロール表示を継続または停止させる。
【発明の効果】
【００１１】
本発明によれば、表示パネルにおいてアイコンを含む画像がスクロールされているときに、１回のタッチ操作で前記アイコンを指定できるとともに、スクロール処理を停止または継続させるつもりで行われたタッチ操作が前記アイコンを指定する操作として誤って検知されることを防止できるタッチパネル装置を提供することが可能になる。
【図面の簡単な説明】
【００１２】
【図１】図１は、実施形態に係るタッチパネル装置のブロック図である。
【図２】図２は、実施形態に係るタッチパネル装置におけるスクロール中制御の手順の一例を示すフローチャートである。
【図３】図３は、実施形態に係るタッチパネル装置において特定画像の一部が表示された表示パネルを模式的に示す図である。
【図４】図４は、実施形態に係るタッチパネル装置における表示パネルに対するスクロール操作の一例を示す図である。
【図５】図５は、実施形態に係るタッチパネル装置における表示パネルに対するアイコン指定操作の一例を示す図である。
【図６】図６は、複数のページ画像を含む特定画像がスクロール表示されている場合におけるページの表示が切り替わる直前の表示パネルを模式的に示すである。
【図７】図７は、複数のページ画像を含む特定画像がスクロール表示されている場合におけるページの表示が切り替わった直後の表示パネルを模式的に示す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［タッチパネル装置１０の構成］
実施形態に係るタッチパネル装置１０は、スマートフォン、タブレットＰＣ（Personal Computer）またはが画像形成装置などの電子機器に組み込まれる装置である。
【００１５】
図１に示されるようにタッチパネル装置１０は、タッチパネルユニット１００、制御装置４、二次記憶装置５および通信装置６などを備える。
【００１６】
タッチパネルユニット１００は、表示パネル１、位置検出装置２およびパネル駆動回路３を含む。また、制御装置４は、ＣＰＵ（Central Processing Unit）４１およびＲＡＭ（Random Access Memory）などの主記憶装置４２を含む。
【００１７】
表示パネル１は、液晶パネルなどのパネル状の表示デバイスである。表示パネル１は、ＣＰＵ４１による制御に従って、各種の情報を含む画像を表示する。
【００１８】
位置検出装置２は、表示パネル１に対するタッチ位置を検出する。前記タッチ位置は、表示パネル１における、ユーザーの指またはスタイラスペンなどの操作部材が接触した位置である。例えば、位置検出装置２が、静電容量式、抵抗式または光学式のタッチパネルであることが考えられる。パネル駆動回路３は、ＣＰＵ４１からの制御信号に従って、表示パネル１の表示状態を制御する回路である。
【００１９】
通信装置６は、他装置との間で通信を行う通信インターフェイスデバイスである。例えば、通信装置６は、他装置から受信したデータをＣＰＵ４１に転送する。また、通信装置６は、ＣＰＵ４１からの送信指令に従って、ＣＰＵ４１から転送されて来たデータを前記他装置へ送信する。
【００２０】
ＣＰＵ４１は、各種の演算、データ処理およびタッチパネルユニット１００の制御などを実行する。主記憶装置４２は、ＣＰＵ４１によって実行される各種のプログラムおよび演算に用いられるデータを一時記憶するＲＡＭ（Random Access Memory）などと記憶装置である。
【００２１】
二次記憶装置５は、コンピューター読み取り可能な不揮発性の記憶装置である。例えば、フラッシュメモリーまたはハードディスクドライブなどが二次記憶装置５として採用される。二次記憶装置５は、ＣＰＵ４１が実行するプログラムまたはＣＰＵ４１が参照するデータなどを予め記憶する。
【００２２】
例えば、ＣＰＵ４１は、二次記憶装置５に予め記憶された表示制御プログラム５ａを実行することにより、表示制御装置４ａとして機能する。さらに、ＣＰＵ４１は、二次記憶装置５に予め記憶された操作判定プログラム５ｂを実行することにより、操作判定装置４ｂとして機能する。
【００２３】
表示制御装置４ａは、パネル駆動回路３を通じて表示パネル１を制御する。例えば、表示制御装置４ａは、アイコンｇ１を含む特定画像ｇ０の一部を表示パネル１に表示させる（図３参照）。
【００２４】
以下の説明において、表示パネル１の縦方向および幅方向の一方を主方向Ｄ１、他方を副方向Ｄ２と称する。図３に示される例では、前記縦方向が主方向Ｄ１であり、前記幅方向が副方向Ｄ２である。
【００２５】
図３に示される特定画像ｇ０は、主方向Ｄ１の長さが表示パネル１の主方向Ｄ１の長さよりも長い画像である。一方、特定画像ｇ０の副方向Ｄ２の長さは、表示パネル１の副方向Ｄ２の長さ以下である。
【００２６】
操作判定装置４ｂは、位置検出装置２による前記タッチ位置の検出結果に応じてパネル操作の種類を判定する。例えば、操作判定装置４ｂは、表示パネル１に対するスクロール操作、アイコン指定操作およびその他の操作を区別して判定する。
【００２７】
図４に示されるように、前記スクロール操作が、主方向Ｄ１に沿うスワイプ操作であることが考えられる。図４，５に示される例において、表示パネル１は、ユーザーの指Ｆ０によって操作される。
【００２８】
なお、操作判定装置４ｂが、ＤＳＰ（Digital Signal Processor）またはＭＰＵ（Micro Processing Unit）などのプロセッサーまたはＡＳＩＣ（Application Specific Integrated Circuit）などの回路によって実現されることも考えられる。
【００２９】
表示制御装置４ａは、操作判定装置４ｂによる前記パネル操作の判定結果に応じて、表示パネル１への画像の表示形態を変更する。
【００３０】
図３に示される例において、表示制御装置４ａは、特定画像ｇ０における主方向Ｄ１の一部の領域を表示パネル１に表示させている。この状態において、位置検出装置２によって前記タッチ位置が検出され、さらに、操作判定装置４ｂによって前記タッチ操作が前記スクロール操作であると判定されて場合、表示制御装置４ａは、表示パネル１に特定画像ｇ０を主方向Ｄ１に沿ってスクロール表示させる。
【００３１】
図４〜７において、スクロール方向Ｄ０が矢印で示されている。以下の説明において、表示パネル１に特定画像ｇ０をスクロール表示させる処理のことをスクロール処理と称する。
【００３２】
本実施形態において、前記アイコン指定操作は、第１アイコン指定操作と、第２アイコン指定操作とを含む。前記第１アイコン指定操作は、図３に示されるように特定画像ｇ０が静止画として表示パネル１に表示されている場合にアイコンｇ１を指定する操作である。
【００３３】
図３に示されるように、特定画像ｇ０が静止画として表示パネル１に表示されている場合、操作判定装置４ｂは、表示パネル１におけるアイコンｇ１が表示されている領域をタッチするタップ操作が前記第１アイコン指定操作であると判定する。
【００３４】
一方、前記第２アイコン指定操作は、特定画像ｇ０が表示パネル１にスクロール表示されている場合にアイコンｇ１を指定する操作である。前記第２アイコン指定操作については後述する。
【００３５】
操作判定装置４ｂによって前記タッチ操作が前記第１アイコン指定操作であると判定された場合、表示制御装置４ａは、予めアイコンに対応付けられた処理を実行する。以下の説明において、前記アイコン指定操作の対象となったアイコンｇ１に対応付けられた処理のことをアイコン対応処理と称する。
【００３６】
例えば、前記アイコン対応処理が、表示パネル１にそれまでと異なる特定画像ｇ０を表示させる処理または特定画像ｇ０に重ねてポップアップ画像を表示パネル１に表示させる処理であることが考えられる。また、ＣＰＵ４１が、表示パネル１の表示内容の変更に加えて、演算処理または通信装置６を通じた通信処理などを実行することも考えられる。
【００３７】
ところで、ユーザーにとって、前記スクロール処理を停止させる操作と前記第１アイコン指定操作の両方を行うことは手間である。前記スクロール処理が行われているときに、アイコンｇ１を指定する１回のタッチ操作によって前記アイコン対応処理が実行されることが望まれる。
【００３８】
一方、前記スクロール処理が行われているときに、前記スクロール処理を停止または継続させるつもりで行われたタッチ操作が、前記アイコン指定操作として誤って検知されることを防止する必要がある。
【００３９】
タッチパネル装置１０において、表示制御装置４ａおよび操作判定装置４ｂは、前記スクロール処理が行われているときに後述するスクロール中制御を実行する（図２参照）。
【００４０】
前記スクロール中制御が行われることにより、表示パネル１においてアイコンｇ１を含む特定画像ｇ０がスクロールされているときに、１回のタッチ操作でアイコンｇ１を指定できる。さらに、前記スクロール処理を停止または継続させるつもりで行われた前記タッチ操作が前記アイコン指定操作として誤って検知されることを防止できる。
【００４１】
［スクロール中制御］
以下、図２に示されるフローチャートを参照しつつ、前記スクロール中制御の手順の一例について説明する。
【００４２】
表示制御装置４ａおよび操作判定装置４ｂは、前記スクロール処理が開始されたときに、前記スクロール中制御を開始する。以下の説明において、Ｓ１，Ｓ２，…は、前記スクロール中制御における複数の工程の識別符号を表す。
【００４３】
＜工程Ｓ１＞
前記スクロール中制御において、まず、操作判定装置４ｂが、位置検出装置２によって前記タッチ位置が検出されるか否かを監視する。前記スクロール処理が行われているときに、位置検出装置２が前記タッチ位置を検出した場合に、操作判定装置４ｂは、処理を工程Ｓ２へ移行させる。
【００４４】
＜工程Ｓ２＞
工程Ｓ２において、表示制御装置４ａは、特定画像ｇ０のスクロール状態が予め定められたアイコン指定可能状態であるか否かを判定する。例えば、前記アイコン指定可能状態は、特定画像ｇ０のスクロール速度が予め定められたしきい速度を下回る低速スクロール状態である。
【００４５】
表示制御装置４ａは、特定画像ｇ０のスクロール状態が前記アイコン指定可能状態であると判定した場合、処理を工程Ｓ３へ移行させ、そうでない場合、処理を工程Ｓ６へ移行させる。
【００４６】
＜工程Ｓ３＞
工程Ｓ３において、操作判定装置４ｂが、前記パネル操作が前記第２アイコン指定操作およびその他の操作のいずれであるかを区別して判定する。前記第２アイコン指定操作は、予め定められた１回の操作である。
【００４７】
本実施形態において、前記第１アイコン指定操作および前記第２アイコン指定操作は異なる種類の前記タッチ操作である。
【００４８】
例えば、図５に示されるように、前記第２アイコン指定操作が、表示パネル１におけるアイコンｇ１が表示されている領域を交差方向Ｄｘ０に沿って擦るスワイプ操作であることが考えられる。
【００４９】
交差方向Ｄｘ０は、特定画像ｇ０のスクロール方向Ｄ０に対して予め定められた角度の範囲で交差する方向である。交差方向Ｄｘ０は、スクロール方向Ｄ０に直交する副方向Ｄ２を基準にして予め定められた鋭角の範囲の方向である。
【００５０】
操作判定装置４ｂは、前記パネル操作が前記第２アイコン指定操作であると判定した場合、処理を工程Ｓ４へ移行させ、そうでない場合、処理を工程Ｓ６へ移行させる。
【００５１】
＜工程Ｓ４＞
工程Ｓ４において、表示制御装置４ａが、特定画像ｇ０のスクロールを停止させ、続いて処理を工程Ｓ５へ移行させる。
【００５２】
＜工程Ｓ５＞
工程Ｓ５において、表示制御装置４ａは、前記アイコン対応処理を実行した後、前記スクロール中制御を終了させる。
【００５３】
＜工程Ｓ６＞
工程Ｓ６において、操作判定装置４ｂは、前記パネル操作が前記スクロール操作であるか否かを判定する。操作判定装置４ｂは、前記パネル操作が前記スクロール操作であると判定した場合、処理を工程Ｓ７へ移行させ、そうでない場合、処理を工程Ｓ８へ移行させる。
【００５４】
なお、工程Ｓ６の処理は、特定画像ｇ０のスクロール状態が前記アイコン指定可能状態ではないと判定された場合、または、前記パネル操作が前記第２アイコン指定操作ではないと判定された場合に実行される。
【００５５】
＜工程Ｓ７＞
工程Ｓ７において、表示制御装置４ａは、前記スクロール処理を継続する。但し、表示制御装置４ａは、前記スクロール操作の速度に応じて、特定画像ｇ０のスクロールの速度を調整する。
【００５６】
また、前記スクロール操作の向きが、その時点のスクロール方向Ｄ０と異なる場合、表示制御装置４ａは、特定画像ｇ０のスクロールの方向を変更する。
【００５７】
表示制御装置４ａは、工程Ｓ７の処理を実行した後、処理を工程Ｓ１へ移行させる。これにより、工程Ｓ１からの処理が繰り返される。
【００５８】
＜工程Ｓ８＞
工程Ｓ８において、表示制御装置４ａは、特定画像ｇ０のスクロールを停止させた上で、前記スクロール中制御を終了させる。
【００５９】
工程Ｓ８の処理は、以下の第１の場合または第２の場合に実行される。前記第１の場合は、特定画像ｇ０のスクロール状態が前記アイコン指定可能状態ではないと判定され、かつ、前記パネル操作が前記スクロール操作ではないと判定された場合である。前記第２の場合は、特定画像ｇ０のスクロール状態が前記アイコン指定可能状態であると判定され、かつ、前記パネル操作が前記第２アイコン指定操作および前記スクロール操作のいずれでもないと判定された場合である。
【００６０】
以上に示されるように、表示制御装置４ａが表示パネル１に特定画像ｇ０をスクロール表示させているときに位置検出装置２が前記タッチ位置を検出した場合に、表示制御装置４ａが、特定画像ｇ０のスクロール状態が前記アイコン指定可能状態であるか否かを判定する（Ｓ２）。
【００６１】
さらに、操作判定装置４ｂが、前記パネル操作が前記第２アイコン指定操作およびその他の操作のいずれであるかを区別して判定する（Ｓ３）。
【００６２】
そして、特定画像ｇ０のスクロール状態が前記アイコン指定可能状態であると判定され、かつ、前記パネル操作が前記アイコン指定操作であると判定された場合に、表示制御装置４ａは、予めアイコンｇ１に対応付けられた前記アイコン対応処理を実行する（Ｓ５）。その他の場合、表示制御装置４ａは、前記アイコン対応処理を実行することなく、表示パネル１への特定画像ｇ０のスクロール表示を継続または停止させる（Ｓ７，Ｓ８）。
【００６３】
工程Ｓ２において、特定画像ｇ０のスクロール状態が前記低速スクロール状態であると判定された場合、ユーザーは、スクロール中のアイコンｇ１の位置を容易に把握およびタッチすることができる。この場合、表示制御装置４ａは、前記第２アイコン指定操作に応じた前記アイコン対応処理の実行を許容する（工程Ｓ２〜Ｓ５）。
【００６４】
一方、特定画像ｇ０のスクロール状態が前記低速スクロール状態ではない場合、前記ユーザーは、スクロール中のアイコンｇ１の位置を正確に把握することが難しい。この場合、表示制御装置４ａは、前記タッチ操作の種類に関わらず、前記アイコン対応処理の実行を許容しない（工程Ｓ６，Ｓ７または工程Ｓ６，Ｓ８）。これにより、前記スクロール処理を停止または継続させるつもりで行われた前記タッチ操作が前記第２アイコン指定操作として誤って検知されることを防止できる。
【００６５】
なお、図２に示される手順において、工程Ｓ３の処理が、工程Ｓ２の処理よりも先に実行されることも考えられる。
【００６６】
また、本実施形態において、前記第２アイコン指定操作が、表示パネル１におけるアイコンｇ１が表示されている領域を交差方向Ｄｘ０に沿って擦るスワイプ操作である。この場合、前記アイコン対応処理を速やかに実行することができる。
【００６７】
[第１応用例]
図６，７に示されるように、特定画像ｇ０が、それぞれ予め定められた主方向Ｄ１の長さが表示パネル１の主方向Ｄ１の長さよりも長い複数のページ画像ｇ００を含むことが考えられる。
【００６８】
本応用例において、表示制御装置４ａは、表示パネル１に特定画像ｇ０を主方向Ｄ１に沿ってスクロール表示させる場合に、表示パネル１に複数のページ画像ｇ００それぞれを主方向Ｄ１に沿ってスクロール表示させる。
【００６９】
さらに、表示制御装置４ａは、表示パネル１に特定画像ｇ０を主方向Ｄ１に沿ってスクロール表示させる場合に、複数のページ画像ｇ００のページ区切りｇ２において隣り合う２つのページ画像ｇ００を切り替えて表示パネル１に表示させる。
【００７０】
即ち、表示制御装置４ａは、表示パネル１の表示状態を、複数のページ画像ｇ００のページ区切りｇ２において隣り合う２つのページ画像ｇ００の一方を表示する図６の状態から他方を表示する図７の状態へ切り替える。
【００７１】
図６は、前記スクロール処理において、あるページ画像ｇ００におけるスクロール方向Ｄ０の上流端ｇ３が、表示パネル１におけるスクロール方向Ｄ０の上流端１ａに到達した時点の表示パネル１を示す。
【００７２】
一方、図７は、次のページ画像ｇ００におけるスクロール方向Ｄ０の下流端ｇ４が、表示パネル１におけるスクロール方向Ｄ０の下流端１ｂに沿う状態で、次のページ画像ｇ００が表示された表示パネル１を示す。
【００７３】
表示制御装置４ａは、あるページ画像ｇ００の表示パネル１への表示状態が図６に示される状態になった場合、表示パネル１の表示状態を、図７に示される表示状態へ切り替える。
【００７４】
以下の説明において、隣り合う２つのページ画像ｇ００の表示が切り替わる時点を基準にしたわずかな期間のことをページ切り替わり期間と称する。
【００７５】
前記ページ切り替わり期間において、ユーザーは、表示パネル１の表示状態の変化を予測できない。そのため、前記ページ切り替わり期間における前記タッチ操作は、ユーザーの意図に反した操作である可能性が高い。
【００７６】
そこで、表示制御装置４ａが、図２の工程Ｓ２において、以下の第１条件および第２条件の両方が成立する状態を前記アイコン指定可能状態として判定することが考えられる。
【００７７】
前記第１条件は、特定画像ｇ０のスクロール速度が前記しきい速度を下回る前記低速スクロール状態であるという条件である。前記第２条件は、２つの前記ページ画像ｇ００の表示が切り替わる時点を基準にした予め定められた期間以外の時点の状態であるという条件である。前記第２条件は、前記ページ切り替わり期間を除くことを意味する。
【００７８】
本応用例が採用されれば、前記ページ切り替わり期間における前記タッチ操作が、前記第２アイコン指定操作として誤って検知されることを防止できる。
【００７９】
[第２応用例]
前記スクロール中制御において、図２の工程Ｓ４の処理が省略されることも考えられる。前記第２アイコン指定操作が、交差方向Ｄｘ０に沿うスワイプ操作である場合、前記アイコン対応処理が速やかに実行される。そのため、工程Ｓ４の処理が省略されても、特に問題が生じない。
【００８０】
[第３応用例]
前記アイコン指定操作が、表示パネル１におけるアイコンｇ１が表示されている領域を予め定められた時間以上継続してタッチする長押し操作であることが考えられる。
【００８１】
本応用例においては、図２の工程Ｓ４の処理が省略されないことが望ましい。即ち、特定画像ｇ０のスクロール状態が前記アイコン指定可能状態であると判定され、かつ、前記パネル操作が前記第２アイコン指定操作であると判定された場合に、表示制御装置４ａは、工程Ｓ４，Ｓ５の処理を実行する。
【符号の説明】
【００８２】
１      ：表示パネル
１ａ    ：表示パネルの上流端
１ｂ    ：表示パネルの下流端
２      ：位置検出装置
３      ：パネル駆動回路
４      ：制御装置
４ａ    ：表示制御装置
４ｂ    ：操作判定装置
５      ：二次記憶装置
５ａ    ：表示制御プログラム
５ｂ    ：操作判定プログラム
６      ：通信装置
１０    ：タッチパネル装置
４１    ：ＣＰＵ
４２    ：主記憶装置
１００  ：タッチパネルユニット
Ｄ０    ：スクロール方向
Ｄ１    ：主方向
Ｄ２    ：副方向
Ｄｘ０  ：交差方向
Ｆ０    ：指
ｇ０    ：特定画像
ｇ００  ：ページ画像
ｇ１    ：アイコン
ｇ２    ：ページ区切り
ｇ３    ：ページ画像の上流端
ｇ４    ：ページ画像の下流端
【図１】
2018206120.tif 000003
【図２】
2018206120.tif 000004
【図３】
2018206120.tif 000005
【図４】
2018206120.tif 000006
【図５】
2018206120.tif 000007
【図６】
2018206120.tif 000008
【図７】
2018206120.tif 000009